(57)【要約】【課題】細型でかつ精緻な検量を行なうことができるピペットを提供する。【解決手段】ピペット１Ａは、余剰の液体を貯留する貯留空間１３ａ含む第１内部空間１３を規定する本体部１０と、量り採るべき液体の量に対応した容量の検量空間２４ａを含む第２内部空間２４を規定する検量部２０とを備える。本体部１０は、第１軸線Ａ１を中心軸として延在する筒状部１１と、底部１２とを有する。検量部２０は、底部１２に設けられ、第２軸線Ａ２を中心軸として延在する管状部２２を有する。検量部２０の下端には、吸入口２５が設けられ、管状部２２を構成する部分の周壁には、検量空間２４ａの容量を決定する開口２６が設けられる。管状部２２は、第１軸線Ａ１と第２軸線Ａ２とが同一直線上に位置しないように筒状部１１に対して偏心配置され、開口２６が、管状部２２を構成する部分の周壁のうち、第１軸線Ａ１に最も近い位置に設けられる。【選択図】図２
2015077591.tif 000002
【特許請求の範囲】
【請求項１】
吸入した液体を予め定めた量の液体と余剰の液体とに内部において分離することにより、予め定めた量の液体のみを量り採ることが可能に構成されたピペットであって、
余剰の液体を貯留する貯留空間を含む第１内部空間を規定する本体部と、
量り採るべき液体の量に対応した容量の検量空間を含む第２内部空間を規定する検量部とを備え、
前記本体部は、第１軸線を中心軸として延在する筒状部と、前記筒状部の下端を閉塞する底部とを有し、
前記検量部は、少なくともその一部が前記本体部の内側に位置するように前記底部に設けられ、
前記本体部の内側に位置する部分の前記検量部は、前記第１軸線と略平行な第２軸線を中心軸として延在する管状部を有し、
前記検量部の下端には、前記検量空間と当該ピペットの外部の空間とを連通する吸入口が設けられ、
前記検量部のうち、前記管状部を構成する部分の周壁には、前記第１内部空間と前記第２内部空間とを連通させることで前記検量空間の容量を決定する開口が設けられ、
前記管状部が、前記第１軸線と前記第２軸線とが同一直線上に位置しないように前記筒状部に対して偏心配置され、
前記開口が、前記管状部を構成する部分の周壁のうち、前記第１軸線に最も近い位置に設けられている、ピペット。
【請求項２】
前記開口を横断しかつ前記第２軸線と直交する仮想平面を規定した場合に、当該仮想平面上における前記筒状部の内周面の任意の位置と前記開口との間の距離が、当該仮想平面上において前記第１軸線と前記第２軸線とを結ぶ直線上において最大となっている、請求項１に記載のピペット。
【請求項３】
前記管状部を構成する部分の周壁のうち、前記開口の下端が位置する部分よりも上方の位置に、前記第１内部空間と前記第２内部空間とを連通する補助開口がさらに設けられている、請求項１または２に記載のピペット。
【請求項４】
前記管状部の上端位置よりも下方側に位置する部分の前記第１内部空間が、前記管状部によって相互に独立した一対の空間に区切られ、
前記第２軸線に沿って見た場合に、前記開口と前記補助開口とが、当該第２軸線を基準とした点対称の位置に設けられ、
前記開口が、前記一対の空間のうちの一方に連通し、
前記補助開口が、前記一対の空間のうちの他方に連通している、請求項３に記載のピペット。
【請求項５】
前記管状部の周方向における一部が、前記筒状部に一体化されている、請求項１から４のいずれかに記載のピペット。
【発明の詳細な説明】
【技術分野】
【０００１】
本発明は、ピペット（「スポイト」とも称される）に関し、より特定的には、吸入した液体を予め定めた量の液体と余剰の液体とに内部において分離することにより、予め定めた量の液体のみを精緻に量り採ることが可能に構成された定量抽出型のピペットに関する。
【背景技術】
【０００２】
定量抽出型のピペットが開示された文献としては、たとえば特開２００７−３１５７９３号公報（特許文献１）や米国特許第５２６００３０号明細書（特許文献２）がある。
【０００３】
上記特許文献１および２に開示されたピペットは、下端に吸入口および上端に流出口が設けられた管状の検量部と、当該検量部が底部に設けられてなる有底筒状の本体部とを備えたものであり、これら検量部と本体部とが同軸上に設けられることにより、軸方向の所定の領域に亘ってピペットが二重管構造を有するように構成されたものである。当該構成のピペットにあっては、予め検量部の容量が、量り採るべき液体の量に応じた容量となるように設定されている。
【０００４】
これにより、当該ピペットにあっては、液体の吸入の際に、吸入口を介して吸入された液体のうち、所定容量の液体が検量部によって保持されることになるとともに、検量部から流出口を介して溢れ出した余剰の液体が本体部によって貯留されることになる。そのため、吸入した液体が予め定めた量の液体と余剰の液体とにピペットの内部において分離されることになり、検量部において量り採られた液体のみが上記吸入口を介してピペットの外部に吐出されることにより、所定容量の液体が精緻に検量できることになる。
【先行技術文献】
【特許文献】
【０００５】
【特許文献１】特開２００７−３１５７９３号公報
【特許文献２】米国特許第５２６００３０号明細書
【発明の概要】
【発明が解決しようとする課題】
【０００６】
しかしながら、上述した構成のピペットにあっては、検量部から流出口を介して溢れ出した液体の一部が、その表面張力によって流出口の近傍に付着して残留する場合があり、これが精緻な検量の妨げになってしまう問題があった。すなわち、流出口の近傍に付着して残留した液体は、検量部によって保持された液体から完全に分離されたものとはならないため、検量後の液体の吐出の際に、これが検量部によって保持された液体と共にピペットの外部に向けて流出することにより、検量の際の誤差の要因となってしまう。
【０００７】
ここで、溢れ出した液体の一部が流出口の近傍に付着して残留する態様としては、流出口の開口面上において盛り上がるように液体が検量部のみに付着して残留する第１の態様と、液体が検量部と本体部との間でブリッジを形成するように検量部および本体部の双方に付着することにより、形成された液体のブリッジによって流出口の開口面が覆われることで液体が残留する第２の態様とがある。
【０００８】
上記特許文献１に開示のピペットにあっては、流出口が、その開口面が検量部の中心軸と直交するように上方を向いた状態で検量部の上端部に設けられている。そのため、当該ピペットは、上述した第１の態様での液体の残留が発生し易いものであるばかりでなく、上述した第２の態様での液体の残留の発生も回避できるものではない。
【０００９】
一方、上記特許文献２に開示のピペットにあっては、流出口が、その開口面が検量部の中心軸に対して非直交となるように傾斜した状態または側方を向いた状態で検量部の上端部に設けられている。そのため、当該ピペットは、検量部から溢れ出した液体が流下し易くなることで上述した第１の態様での液体の残留の発生が回避され易くなるものではあるものの、上述した第２の態様での液体の残留の発生までもが回避できるものではない。
【００１０】
したがって、より精緻な検量を可能にすべく、上述した第１の態様での液体の残留の発生が抑制できるばかりでなく、上述した第２の態様での液体の残留の発生までもが効果的に抑制できるピペットの開発が望まれているところである。
【００１１】
一方で、ピペットが使用されて検量が行なわれる液体は、細長の容器（たとえば試験管等）に貯留されている場合が多いため、ピペットの先端の外形は、容器の口径に依らず挿入が可能となるように、可能な限り細長の形状とされていることが好ましい。そのため、上述した如くの定量抽出型のピペットの開発に当たっては、本体部の太さが大型化しないように考慮することも重要である。
【００１２】
本発明は、上述した状況に鑑みてなされたものであり、細型でかつ精緻な検量を行なうことができるピペットを提供することを目的とする。
【課題を解決するための手段】
【００１３】
本発明に基づくピペットは、吸入した液体を予め定めた量の液体と余剰の液体とに内部において分離することにより、予め定めた量の液体のみを量り採ることが可能に構成されたものであって、余剰の液体を貯留する貯留空間を含む第１内部空間を規定する本体部と、量り採るべき液体の量に対応した容量の検量空間を含む第２内部空間を規定する検量部とを備えている。上記本体部は、第１軸線を中心軸として延在する筒状部と、上記筒状部の下端を閉塞する底部とを有している。上記検量部は、少なくともその一部が上記本体部の内側に位置するように上記底部に設けられており、上記本体部の内側に位置する部分の上記検量部は、上記第１軸線と略平行な第２軸線を中心軸として延在する管状部を有している。上記検量部の下端には、上記検量空間と当該ピペットの外部の空間とを連通する吸入口が設けられており、上記検量部のうち、上記管状部を構成する部分の周壁には、上記第１内部空間と上記第２内部空間とを連通させることで上記検量空間の容量を決定する開口が設けられている。上記本発明に基づくピペットにあっては、上記管状部が、上記第１軸線と上記第２軸線とが同一直線上に位置しないように上記筒状部に対して偏心配置されており、上記開口が、上記管状部を構成する部分の周壁のうち、上記第１軸線に最も近い位置に設けられている。
【００１４】
上記本発明に基づくピペットにあっては、上記開口を横断しかつ上記第２軸線と直交する仮想平面を規定した場合に、当該仮想平面上における上記筒状部の内周面の任意の位置と上記開口との間の距離が、当該仮想平面上において上記第１軸線と上記第２軸線とを結ぶ直線上において最大となっていることが好ましい。
【００１５】
上記本発明に基づくピペットにあっては、上記管状部を構成する部分の周壁のうち、上記開口の下端が位置する部分よりも上方の位置に、上記第１内部空間と上記第２内部空間とを連通する補助開口がさらに設けられていてもよい。
【００１６】
上記本発明に基づくピペットにあっては、上記管状部の上端位置よりも下方側に位置する部分の上記第１内部空間が、上記管状部によって相互に独立した一対の空間に区切られていてもよい。その場合には、上記第２軸線に沿って見た場合に、上記開口と上記補助開口とが、当該第２軸線を基準とした点対称の位置に設けられていることが好ましく、また、上記開口が、上記一対の空間のうちの一方に連通し、上記補助開口が、上記一対の空間のうちの他方に連通していることが好ましい。
【００１７】
上記本発明に基づくピペットにあっては、上記管状部の周方向における一部が、上記筒状部に一体化されていてもよい。
【発明の効果】
【００１８】
本発明によれば、細型でかつ精緻な検量を行なうことができるピペットを提供することができる。
【図面の簡単な説明】
【００１９】
【図１】本発明の実施の形態１におけるピペットの概略斜視図である。
【図２】本発明の実施の形態１におけるピペットの要部縦断面図である。
【図３】本発明の実施の形態１におけるピペットの図２に示すＩＩＩ−ＩＩＩ線に沿った横断面図である。
【図４】本発明の実施の形態１におけるピペットの図２に示すＩＶ−ＩＶ線に沿った横断面図である。
【図５】本発明の実施の形態１におけるピペットの図２に示すＶ−Ｖ線に沿った横断面図である。
【図６】本発明の実施の形態１におけるピペットにおいて液体を吸入した状態を示す要部縦断面図である。
【図７】本発明の実施の形態１に基づいた変形例に係るピペットの要部横断面図である。
【図８】本発明の実施の形態２におけるピペットの要部縦断面図である。
【図９】本発明の実施の形態２におけるピペットの図８中に示すＩＸ−ＩＸ線に沿った横断面図である。
【図１０】本発明の実施の形態２に基づいた変形例に係るピペットの要部横断面図である。
【発明を実施するための形態】
【００２０】
以下、本発明の実施の形態について、図を参照して詳細に説明する。なお、以下に示す実施の形態においては、同一のまたは共通する部分について図中同一の符号を付し、その説明は繰り返さない。
【００２１】
（実施の形態１）
図１は、本発明の実施の形態１におけるピペットの概略斜視図であり、図２は、当該ピペットの要部縦断面図である。また、図３ないし図５は、本実施の形態におけるピペットの横断面図であり、図３は、図２に示すＩＩＩ−ＩＩＩ線に沿った横断面図、図４は、図２に示すＩＶ−ＩＶ線に沿った横断面図、図５は、図２に示すＶ−Ｖ線に沿った横断面図である。まず、これら図１ないし図５を参照して、本実施の形態におけるピペット１Ａの構成について説明する。
【００２２】
図１に示すように、ピペット１Ａは、全体として細長の形状を有しており、本体部１０と、検量部２０と、ゴムキャップ３０とを有している。本体部１０および検量部２０は、樹脂材料を用いた射出成形によって一体的に構成されており、検量部２０は、本体部１０の下端に設けられている。一方、ゴムキャップ３０は、本体部１０とは別部材にて構成されており、本体部１０の上端に位置する開口端１０ａを閉塞するように本体部１０に組み付けられている。
【００２３】
図２ないし図５に示すように、本体部１０は、有底筒状の形状を有しており、第１軸線Ａ１を中心軸として延在する筒状部１１と、当該筒状部１１の下端を閉塞する底部１２とを有している。本体部１０は、その内部に第１内部空間１３を有しており、当該第１内部空間１３には、後述する貯留空間１３ａが含まれる。
【００２４】
検量部２０は、本体部１０の底部１２に設けられており、全体として管状の形状を有している。検量部２０は、本体部１０の外側に位置する管状の外側突出部２１Ａと、本体部１０の内側に位置する管状の内側突出部２１Ｂとを含んでいる。検量部２０は、その内部に第２内部空間２４を有しており、当該第２内部空間２４には、後述する検量空間２４ａおよび上部空間２４ｂが含まれる。なお、本実施の形態においては、外側突出部２１Ａと内側突出部２１Ｂとが略同一開口径を有するように構成されており、検量部２０は、全体として略直行管形状を有している。
【００２５】
外側突出部２１Ａは、本体部１０の底部１２から下方に向けて突設されている。外側突出部２１Ａは、検量部２０の下端寄りの部分を構成しており、その最下端に吸入口２５を有している。
【００２６】
内側突出部２１Ｂは、本体部１０の底部１２から上方に向けて突設されており、これにより本体部１０の内側に位置している。内側突出部２１Ｂは、検量部２０の上端寄りの部分を構成しており、上述した第１軸線Ａ１と平行な第２軸線Ａ２を中心軸として延在する管状部２２と、当該管状部２２の上端に設けられた閉塞部２３とを有している。また、管状部２２を構成する部分の周壁の上端寄りの位置には、開口２６および補助開口２７が設けられている。ここで、開口２６および補助開口２７は、いずれもその開口面が上述した第２軸線Ａ２と非直交となるように側方を向いた状態で検量部２０の上端寄りの位置に設けられている。
【００２７】
検量部２０の最下端に設けられた吸入口２５は、検量部２０の内部の空間である第２内部空間２４とピペット１Ａの外部の空間とを連通させるものであり、液体の吸入に際して液体を第２内部空間２４に導入するための部位である。
【００２８】
検量部２０の上端寄りの位置に設けられた開口２６は、検量部２０の内部の空間である第２内部空間２４と本体部１０の内部の空間である第１内部空間１３とを連通させるものであり、液体の吸入に際して、吸入口２５を介して第２内部空間２４に導入された液体のうち、余剰の液体を第１内部空間１３に向けて溢れ出させるための部位である。
【００２９】
ここで、開口２６は、検量部２０の内部の空間である第２内部空間２４のうち、量り採るべき液体の量に応じた量の空間である検量空間２４ａの容量を決定するものである。すなわち、開口２６の下端位置と吸入口２５が設けられた位置との間に存する第２内部空間２４が、上記検量空間２４ａに相当することになり、当該検量空間２４ａの容量が、量り採るべき液体の量に応じた容量となるように、開口２６の配設位置が予め設定されている。なお、第２内部空間２４のうち、開口２６の下端位置よりも上方の空間は、検量部２０によって液体を保持した際に当該液体によって満たされることのない上部空間２４ｂとなる（図６参照）。また、開口２６は、検量部２０によって液体が保持された状態において、上部空間２４ｂが液体によって満たされることがないように当該上部空間２４ｂに第１内部空間１３から空気を導入する機能も有している。
【００３０】
補助開口２７は、管状部２２を構成する部分の周壁のうち、開口２６の下端が位置する部分よりも上方の位置に設けられている。補助開口２７は、検量部２０の内部の空間である第２内部空間２４と本体部１０の内部の空間である第１内部空間１３とを連通させるものであり、検量部２０によって液体が保持された状態において、上部空間２４ｂが液体によって満たされることがないように当該上部空間２４ｂに第１内部空間から空気を導入するための部位である。ここで、補助開口２７は、上述したように開口２６の下端よりも上方の位置に設けられたものであるため、検量空間２４ａの容量を決定するものとはならない。
【００３１】
本体部１０の第１内部空間１３のうち、開口２６に面する側であって底部１２が位置する下端側の部分には、貯留空間１３ａが位置している。より具体的には、貯留空間１３ａは、本体部１０の底部１２と、当該底部１２に隣接する部分の筒状部１１と、検量部２０の管状部２２とによって規定されており、検量部２０の内側突出部２１Ｂに隣り合うように位置している。貯留空間１３ａは、液体の吸入に際して、開口２６を介して検量部２０の第２内部空間２４から溢れ出した液体を貯留するための部位である。
【００３２】
図１を参照して、ゴムキャップ３０は、内部に所定容量の空間を有しており、手指等によって圧縮およびその解除が行なわれることにより、ピペット１Ａ内に陽圧または陰圧を発生させるためのものである。
【００３３】
図３ないし図５に示すように、本実施の形態においては、管状部２２の周方向における一部が筒状部１１に一体化されており、これにより管状部２２および筒状部１１が一体化部分２８を有している。当該一体化部分２８は、管状部２２の周方向に沿って２箇所設けられており、これら一体化部分２８の各々は、ピペット１Ａの軸方向に沿って延在している。そのため、管状部２２の上端位置よりも下方側に位置する部分の第１内部空間１３は、管状部２２によって相互に独立した一対の空間に区切られており、このうちの一方の空間が上述した貯留空間１３ａを構成することになる。
【００３４】
上述した開口２６および補助開口２７の各々は、管状部２２を構成する部分の周壁のうち、上記一体化部分２８を除く部分に設けられており、第２軸線Ａ２に沿って見た場合に、当該第２軸線Ａ２を基準とした点対称の位置に設けられている。これにより、管状部２２によって区切られた一対の空間のうちの一方（すなわち貯留空間１３ａ）に開口２６が連通することになり、他方に補助開口２７が連通することになる。
【００３５】
ここで、本実施の形態におけるピペット１Ａにおいては、図２ないし図５に示すように、管状部２２が、第１軸線Ａ１と第２軸線Ａ２とが同一直線上に位置しないように筒状部１１に対して偏心した位置に配置されているとともに、開口２６が、管状部２２を構成する部分の周壁のうち、第１軸線Ａ１に最も近い位置に設けられている。
【００３６】
また、第１軸線Ａ１に沿って見た場合に、筒状部１１の外形線が所定の大きさの仮想円に収まる形状となるように本体部１０を構成すれば、開口２６を横断しかつ第２軸線Ａ２と直交する仮想平面を規定した場合に、当該仮想平面上における筒状部１１の内周面１１ａの任意の位置と開口２６との間の距離が、当該仮想平面上において第１軸線Ａ１と第２軸線Ａ２とを結ぶ直線（すなわち、図４および図５中に示す直線Ｂ）上において最大となる（当該最大の距離を図２、図４および図５中において距離Ｄとして示している）。
【００３７】
図６は、本実施の形態におけるピペットにおいて液体を吸入した状態を示す要部縦断面図である。次に、この図６を参照して、本実施の形態におけるピペット１Ａの使用方法およびその際の液体１００の流れについて説明する。
【００３８】
上述した構成のピペット１Ａを使用して検量を行なうに際しては、まず、ゴムキャップ３０を手指等にて圧縮することにより、ピペット１Ａ内の空気を吸入口２５を介して外部に所定量だけ排出する。次に、ゴムキャップ３０を圧縮した状態を維持しつつ、図６に示すように、検量部２０の外側突出部２１Ａの先端を図示しない試験管等の容器に差し込み、当該容器に貯留された液体１００に浸漬する。
【００３９】
続いて、検量部２０の外側突出部２１Ａの先端を液体１００に浸漬した状態のまま、ゴムキャップ３０の圧縮を解除する。これにより、ピペット１Ａ内の圧力が陰圧となり、図中において矢印ＡＲ１にて示すように、吸入口２５を介して液体１００が検量部２０の内部の空間である第２内部空間２４に吸入される。
【００４０】
第２内部空間２４に吸入された液体１００は、検量部２０内を上方に向けて移動する。そして、余剰の液体１００Ａは、図中において矢印ＡＲ２にて示すように、検量部２０に設けられた開口２６を介して本体部１０の内部の空間である第１内部空間１３に向けて溢れ出す。溢れ出した余剰の液体１００Ａは、第１内部空間１３の内部において流下し、貯留空間１３ａにおいて貯留される。
【００４１】
その後、ピペット１Ａ内の陰圧が消滅することにより、液体１００の吸入が停止され、開口２６および補助開口２７を介して第１内部空間１３に位置する空気が第２内部空間２４のうちの上部空間２４ｂに導入され、第２内部空間２４のうちの検量空間２４ａのみが液体１００Ｂによって満たされた状態となる。これにより、吸入された液体１００が予め定めた量の液体１００Ｂと余剰の液体１００Ａとにピペット１Ａの内部において分離されることになる。
【００４２】
続いて、検量部２０の外側突出部２１Ａを試験管等の容器に貯留された液体１００から離間させ、その後、当該外側突出部２１Ａを検量後の液体１００Ｂを貯留するための図示しない他の容器等に挿入する。その後、再度ゴムキャップ３０を手指等を用いて圧縮することによってピペット１Ａ内の圧力を陽圧にし、これにより検量後の液体１００Ｂを吸入口２５を介して当該容器内に向けて吐出させる。以上により、予め定めた量の液体のみを量り採ることが可能になる。
【００４３】
ここで、上述したように、本実施の形態におけるピペット１Ａにあっては、開口２６が、その開口面が検量部２０の中心軸である第２軸線Ａ２と非直交となるように側方を向いた状態で検量部２０の上端寄りの位置に設けられている。
【００４４】
そのため、上記構成を採用することにより、前述した第１の態様（すなわち、開口２６の開口面上において盛り上がるように液体１００が検量部２０のみに付着して残留する態様）での液体１００の残留が抑制できることになる。
【００４５】
また、上述したように、本実施の形態におけるピペット１Ａにあっては、管状部２２が、第１軸線Ａ１と第２軸線Ａ２とが同一直線上に位置しないように筒状部１１に対して偏心した位置に配置されているとともに、開口２６が、管状部２２を構成する部分の周壁のうち、第１軸線Ａ１に最も近い位置に設けられている。これにより、第１軸線Ａ１と第２軸線Ａ２とが同一直線上に位置するように筒状部１１と管状部２２とが同軸上に配置された場合に比べ、本体部１０の太さを大型化せずとも、開口２６とこれに対面する部分の筒状部１１の内周面１１ａとの間の距離（すなわち、図２、図４および図５中において示す距離Ｄ）が長く確保できることになる。
【００４６】
そのため、上記構成を採用することにより、本体部１０の太さを大型化させずとも、上記距離Ｄが長く確保できる分だけ前述した第２の態様（すなわち、液体１００が検量部２０と本体部１０との間でブリッジを形成するように検量部２０および本体部１０の双方に付着することにより、形成された液体のブリッジによって開口２６の開口面が覆われることで液体１００が残留する態様）での液体１００の残留が抑制できることになる。
【００４７】
しかるに、上述した本実施の形態におけるピペット１Ａとすることにより、検量部２０から開口２６を介して溢れ出した液体１００が、その表面張力によって開口２６の近傍に付着して残留することが大幅に抑制できることになり、精緻な検量が可能になるばかりでなく、本体部１０の大型化が回避できる。したがって、細型でかつ精緻な検量を行なうことができるピペットとすることができる。
【００４８】
図７は、本実施の形態に基づいた変形例に係るピペットの要部横断面図である。図７に示すように、本変形例に係るピペット１Ｂは、検量部２０の管状部２２と本体部１０の筒状部１１とを一体化させることなく二重管構造を有するように構成したものである。すなわち、図示するように、検量部２０の管状部２２と本体部１０の筒状部１１とを、それぞれ異なる口径の真円管形状とすることにより、これら管状部２２と筒状部１１とによって二重管構造を構成したものである。そのため、管状部２２の上端位置よりも下方側に位置する部分の第１内部空間１３は、管状部２２によって区切られることなく単一の空間として構成されている。
【００４９】
このように構成した場合にも、上述した本実施の形態におけるピペット１Ａと同様に、第１軸線Ａ１と第２軸線Ａ２とが同一直線上に位置しないように管状部２２を筒状部１１に対して偏心した位置に配置させるとともに、管状部２２を構成する部分の周壁のうち、第１軸線Ａ１に最も近い位置に開口２６を設けることにより、上述した効果を得ることができる。
【００５０】
また、このように構成した場合には、上述した本実施の形態におけるピペット１Ａと比較した場合に、開口２６を横断する断面における第１内部空間１３の断面積および補助開口２７を横断する断面における第１内部空間１３の断面積の双方についてこれをさらに大きく形成することができる。そのため、上述した液体１００のブリッジによる残留がより効果的に抑制できる（すなわち、液体１００の表面張力よりも液体１００の自重が勝ることにより、液体１００が開口２６および補助開口２７の近傍において残留せずに流下し易くなる）ことにもなる。したがって、より確実に精緻な検量を行なうことができるピペットとすることができる。
【００５１】
（実施の形態２）
図８は、本発明の実施の形態２におけるピペットの要部縦断面図であり、図９は、本実施の形態におけるピペットの図８中に示すＩＸ−ＩＸ線に沿った横断面図である。以下、これら図８および図９を参照して、本実施の形態におけるピペット１Ｃについて説明する。
【００５２】
図８および図９に示すように、ピペット１Ｃは、上述した実施の形態１におけるピペット１Ａに比べ、一体化部分２８の構成において相違している。すなわち、ピペット１Ｃにおいては、一体化部分２８が、管状部２２の周方向に沿って１箇所のみ設けられており、当該一体化部分２８が、ピペット１Ａの軸方向に沿って延在している。そのため、管状部２２の上端位置よりも下方側に位置する部分の第１内部空間１３は、管状部２２によって区切られることなく単一の空間として構成されている。
【００５３】
また、上記に伴い、ピペット１Ｃにおいては、管状部２２に開口２６のみが設けられており、上述した実施の形態１におけるピペット１Ａにおいて管状部２２に設けられていた補助開口２７（図２および図５と参照）は設けられていない。
【００５４】
このように構成した場合にも、上述した実施の形態１におけるピペット１Ａと同様に、第１軸線Ａ１と第２軸線Ａ２とが同一直線上に位置しないように管状部２２を筒状部１１に対して偏心した位置に配置させるとともに、管状部２２を構成する部分の周壁のうち、第１軸線Ａ１に最も近い位置に開口２６を設けることにより、上述した実施の形態１において説明した効果と同様の効果を得ることができる。
【００５５】
図１０は、本実施の形態に基づいた変形例に係るピペットの要部横断面図である。図１０に示すように、本変形例に係るピペット１Ｄは、管状部２２の周方向に沿った１箇所のみにおいて一体化部分２８が設けられていることにより、管状部２２の上端位置よりも下方側に位置する部分の第１内部空間１３が管状部２２によって区切られることなく単一の空間として構成されている点において、上述した本実施の形態におけるピペット１Ｃと共通の構成を有しているものの、当該ピペット１Ｃと比較した場合に、管状部２２が第１軸線Ａ１側に向けてより筒状部１１から迫り出して設けられている点において相違している。
【００５６】
すなわち、本変形例に係るピペット１Ｄにおいては、管状部２２が筒状部１１から迫り出すように設けられることにより、上記一体化部分２８が位置する側において、管状部２２を回り込むよう位置する一対の端部空間１３ｂを第１内部空間１３が含むように構成されている。そして、当該端部空間１３ｂに面する部分にそれぞれ第１内部空間１３と第２内部空間２４とを連通する補助開口２７が設けられている。
【００５７】
このように構成した場合にも、上述した本実施の形態におけるピペット１Ｃと同様に、第１軸線Ａ１と第２軸線Ａ２とが同一直線上に位置しないように管状部２２を筒状部１１に対して偏心した位置に配置させるとともに、管状部２２を構成する部分の周壁のうち、第１軸線Ａ１に最も近い位置に開口２６を設けることにより、上述した効果を得ることができる。
【００５８】
また、このように構成した場合には、上述した実施の形態１におけるピペット１Ａと比較した場合に、開口２６を横断する断面における第１内部空間１３の断面積および補助開口２７を横断する断面における第１内部空間１３の断面積の双方についてこれをさらに大きく形成することができる。そのため、上述した液体１００のブリッジによる残留がより効果的に抑制できる（すなわち、液体１００の表面張力よりも液体１００の自重が勝ることにより、液体１００が開口２６および補助開口２７の近傍において残留せずに流下し易くなる）ことにもなる。したがって、より確実に精緻な検量を行なうことができるピペットとすることができる。
【００５９】
なお、上述した本発明の実施の形態１，２およびそれらの変形例においては、吸引手段としてゴムキャップを備えたピペットに本発明を適用した場合を例示して説明を行なったが、吸引手段はこれに限定されるものではなく、他の吸引手段（たとえば電動ポンプ等を備えた真空引き装置等）を備えたピペットに本発明を適用することも当然に可能である。
【００６０】
今回開示した上記実施の形態およびそれらの変形例はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００６１】
１Ａ〜１Ｄ  ピペット、１０  本体部、１０ａ  開口端、１１  筒状部、１１ａ  内周面、１２  底部、１３  第１内部空間、１３ａ  貯留空間、１３ｂ  端部空間、２０  検量部、２１Ａ  外側突出部、２１Ｂ  内側突出部、２２  管状部、２３  閉塞部、２４  第２内部空間、２４ａ  検量空間、２４ｂ  上部空間、２５  吸入口、２６  開口、２７  補助開口、２８  一体化部分、３０  ゴムキャップ、１００，１００Ａ，１００Ｂ  液体、Ａ１  第１軸線、Ａ２  第２軸線。
【図１】
2015077591.tif 000003
【図２】
2015077591.tif 000004
【図３】
2015077591.tif 000005
【図４】
2015077591.tif 000006
【図５】
2015077591.tif 000007
【図６】
2015077591.tif 000008
【図７】
2015077591.tif 000009
【図８】
2015077591.tif 000010
【図９】
2015077591.tif 000011
【図１０】
2015077591.tif 000012